(57)【要約】【課題】複数の通信方式に対応したリーダ／ライタに対して通信を行えるようにする。【解決手段】ＮＦＣの複数の通信方式に対応した端末装置１０は、複数の通信方式の中から通信可能として選択している複数の通信方式のポーリング信号を受信すると、応答信号を電子レジスター２０へ送信する。端末装置１０は、応答信号を送信した後、通信可能として選択している通信方式に従った信号を予め定められた時間内に受信しなかった場合、通信可能として選択している通信方式を変更する。端末装置１０は、複数種類の通信方式のポーリング信号を受信していた場合、通信可能として選択する通信方式を、受信したポーリング信号が従う通信方式の中から選択する。【選択図】図１
2015133577.tif 000002
【特許請求の範囲】
【請求項１】
複数の通信方式のうち、通信可能として選択した通信方式に対応した信号を取得する取得手段と、
前記選択した通信方式に従ったポーリング信号を前記取得手段が取得した場合、当該ポーリング信号への応答となる応答信号を出力する応答手段と、
前記選択した通信方式に従った信号を、前記応答信号の出力がされてから予め定められた時間内に前記取得手段が取得しなかった場合、通信可能として選択する通信方式を変更する変更手段と、
前記選択した通信方式に従った信号を前記取得手段が取得した場合、当該信号を送信した装置に対して当該信号が従う通信方式に従った信号を出力する出力手段と、
を備える通信装置。
【請求項２】
前記変更手段は、通信可能として選択する通信方式を変更する場合、選択する通信方式の数を変更前より少なくする請求項１に記載の通信装置。
【請求項３】
前記変更手段は、各々通信方式が異なる複数のポーリング信号を前記取得手段が取得した場合、選択する通信方式の数を当該取得したポーリング信号が従う通信方式の数より少なくする請求項１又は請求項２に記載の通信装置。
【請求項４】
前記変更手段は、通信可能として選択する通信方式を前記取得手段が受信した信号の強度に応じて変更する請求項１に記載の通信装置。
【請求項５】
複数の通信方式のうち、通信可能として選択した通信方式に対応した信号を取得する取得ステップと、
前記選択した通信方式に従ったポーリング信号を前記取得ステップで取得した場合、当該ポーリング信号への応答となる応答信号を出力する応答ステップと、
前記選択した通信方式に従った信号を、前記応答信号の出力がされてから予め定められた時間内に前記取得ステップで取得しなかった場合、通信可能として選択する通信方式を変更する変更ステップと、
前記選択した通信方式に従った信号を前記取得ステップで取得した場合、当該信号を送信した装置に対して当該信号が従う通信方式に従った信号を出力する出力ステップと、
を備える通信方法。
【請求項６】
複数の通信方式のうち、通信可能として選択した通信方式に対応した信号を取得する取得手段と、
前記選択した通信方式に従ったポーリング信号を前記取得手段が取得した場合、当該ポーリング信号への応答となる応答信号を出力する応答手段と、
通信可能として選択する通信方式を、予め定めた時間が経過する毎に変更する変更手段と、
前記選択した通信方式に従った信号を前記取得手段が取得した場合、当該信号を送信した装置に対して当該信号が従う通信方式に従った信号を出力する出力手段と、
を備える通信装置。
【請求項７】
複数の通信方式のうち、通信可能として選択した通信方式に対応した信号を取得する取得ステップと、
前記選択した通信方式に従ったポーリング信号を前記取得ステップで取得した場合、当該ポーリング信号への応答となる応答信号を出力する応答ステップと、
通信可能として選択する通信方式を、予め定めた時間が経過する毎に変更する変更ステップと、
前記選択した通信方式に従った信号を前記取得ステップで取得した場合、当該信号を送信した装置に対して当該信号が従う通信方式に従った信号を出力する出力ステップと、
を備える通信方法。
【請求項８】
コンピュータを、
複数の通信方式のうち、通信可能として選択した通信方式に対応した信号を取得する取得手段と、
前記選択した通信方式に従ったポーリング信号を前記取得手段が取得した場合、当該ポーリング信号への応答となる応答信号を出力する応答手段と、
前記選択した通信方式に従った信号を、前記応答信号の出力がされてから予め定められた時間内に前記取得手段が取得しなかった場合、通信可能として選択する通信方式を変更する変更手段と、
前記選択した通信方式に従った信号を前記取得手段が取得した場合、当該信号を送信した装置に対して当該信号が従う通信方式に従った信号を出力する出力手段
として機能させるためのプログラム。
【請求項９】
コンピュータを、
複数の通信方式のうち、通信可能として選択した通信方式に対応した信号を取得する取得手段と、
前記選択した通信方式に従ったポーリング信号を前記取得手段が取得した場合、当該ポーリング信号への応答となる応答信号を出力する応答手段と、
通信可能として選択する通信方式を、予め定めた時間が経過する毎に変更する変更手段と、
前記選択した通信方式に従った信号を前記取得手段が取得した場合、当該信号を送信した装置に対して当該信号が従う通信方式に従った信号を出力する出力手段
として機能させるためのプログラム。
【発明の詳細な説明】
【技術分野】
【０００１】
本発明は、複数の通信方式の中から通信に使用する通信方式を選択する技術に関する。
【背景技術】
【０００２】
特許文献１には、複数の通信方式（ＩＳＯ／ＩＥＣ  １４４４３のタイプＡ，タイプＢ、ＩＳＯ／ＩＥＣ  １８０９２のパッシブコミュニケーションモードなど）に対応したＩＣカードがリーダ／ライタが行う通信の通信方式を判定し、判定した通信方式でリーダ／ライタと通信を行うことが記載されている。特許文献１の発明によれば、ＩＣカードは、リーダ／ライタが採用している通信方式と同じ通信方式を選択するため、種々のリーダ／ライタと通信を行うことができる。
【先行技術文献】
【特許文献】
【０００３】
【特許文献１】特開２０１０−２２５０６９号公報
【発明の概要】
【発明が解決しようとする課題】
【０００４】
一方、近距離無線通信を行うリーダ／ライタにおいても、複数の通信方式に対応したものが存在する。このリーダ／ライタは、通信相手となるＩＣカードと通信を行うために、各方式で通信相手のポーリングを行う。リーダ／ライタは、通信相手のＩＣカードが一つの通信方式にのみ対応している場合、ＩＣカードが対応する通信方式でのポーリングの際に相手を検出し、通信で用いる通信方式を特定することができる。
【０００５】
ところで、近距離無線通信が可能なスマートフォンにおいては、複数の通信方式に対応したものがある。通信方式毎のポーリングのそれぞれについてスマートフォンから応答があった場合、リーダ／ライタ側では、それぞれ通信方式の異なる複数のＩＣカードが近傍に存在していて各ＩＣカードから応答があったのか、複数の通信方式に対応した一台のスマートフォンから各通信方式のポーリングに対して応答があったのか特定することができない。このため、リーダ／ライタは、各通信方式のポーリングに対して応答があった場合にはエラーとして処理し、複数の通信方式に対応した一つの装置が通信相手であったとしても、通信を行わないこととなる。
【０００６】
本発明は、上述した背景の下になされたものであり、複数の通信方式に対応したリーダ／ライタに対して通信を行えるようにする技術を提供することを目的とする。
【課題を解決するための手段】
【０００７】
上述した課題を解決するために本発明は、複数の通信方式のうち、通信可能として選択した通信方式に対応した信号を取得する取得手段と、前記選択した通信方式に従ったポーリング信号を前記取得手段が取得した場合、当該ポーリング信号への応答となる応答信号を出力する応答手段と、前記選択した通信方式に従った信号を、前記応答信号の出力がされてから予め定められた時間内に前記取得手段が取得しなかった場合、通信可能として選択する通信方式を変更する変更手段と、前記選択した通信方式に従った信号を前記取得手段が取得した場合、当該信号を送信した装置に対して当該信号が従う通信方式に従った信号を出力する出力手段と、を備える通信装置を提供する。
【０００８】
本発明においては、前記変更手段は、通信可能として選択する通信方式を変更する場合、選択する通信方式の数を変更前より少なくする構成としてもよい。
【０００９】
また、本発明においては、前記変更手段は、各々通信方式が異なる複数のポーリング信号を前記取得手段が取得した場合、選択する通信方式の数を当該取得したポーリング信号が従う通信方式の数より少なくする構成としてもよい。
【００１０】
また、本発明においては、前記変更手段は、通信可能として選択する通信方式を前記取得手段が受信した信号の強度に応じて変更する構成としてもよい。
【００１１】
また、本発明は、複数の通信方式のうち、通信可能として選択した通信方式に対応した信号を取得する取得ステップと、前記選択した通信方式に従ったポーリング信号を前記取得ステップで取得した場合、当該ポーリング信号への応答となる応答信号を出力する応答ステップと、前記選択した通信方式に従った信号を、前記応答信号の出力がされてから予め定められた時間内に前記取得ステップで取得しなかった場合、通信可能として選択する通信方式を変更する変更ステップと、前記選択した通信方式に従った信号を前記取得ステップで取得した場合、当該信号を送信した装置に対して当該信号が従う通信方式に従った信号を出力する出力ステップと、を備える通信方法を提供する。
【００１２】
また、本発明は、複数の通信方式のうち、通信可能として選択した通信方式に対応した信号を取得する取得手段と、前記選択した通信方式に従ったポーリング信号を前記取得手段が取得した場合、当該ポーリング信号への応答となる応答信号を出力する応答手段と、通信可能として選択する通信方式を、予め定めた時間が経過する毎に変更する変更手段と、前記選択した通信方式に従った信号を前記取得手段が取得した場合、当該信号を送信した装置に対して当該信号が従う通信方式に従った信号を出力する出力手段と、を備える通信装置を提供する。
【００１３】
また、本発明は、複数の通信方式のうち、通信可能として選択した通信方式に対応した信号を取得する取得ステップと、前記選択した通信方式に従ったポーリング信号を前記取得ステップで取得した場合、当該ポーリング信号への応答となる応答信号を出力する応答ステップと、通信可能として選択する通信方式を、予め定めた時間が経過する毎に変更する変更ステップと、前記選択した通信方式に従った信号を前記取得ステップで取得した場合、当該信号を送信した装置に対して当該信号が従う通信方式に従った信号を出力する出力ステップと、を備える通信方法を提供する。
【００１４】
また、本発明は、コンピュータを、複数の通信方式のうち、通信可能として選択した通信方式に対応した信号を取得する取得手段と、前記選択した通信方式に従ったポーリング信号を前記取得手段が取得した場合、当該ポーリング信号への応答となる応答信号を出力する応答手段と、前記選択した通信方式に従った信号を、前記応答信号の出力がされてから予め定められた時間内に前記取得手段が取得しなかった場合、通信可能として選択する通信方式を変更する変更手段と、前記選択した通信方式に従った信号を前記取得手段が取得した場合、当該信号を送信した装置に対して当該信号が従う通信方式に従った信号を出力する出力手段として機能させるためのプログラムを提供する。
【００１５】
また、本発明は、コンピュータを、複数の通信方式のうち、通信可能として選択した通信方式に対応した信号を取得する取得段と、前記選択した通信方式に従ったポーリング信号を前記取得手段が取得した場合、当該ポーリング信号への応答となる応答信号を出力する応答手段と、通信可能として選択する通信方式を、予め定めた時間が経過する毎に変更する変更手段と、前記選択した通信方式に従った信号を前記取得手段が取得した場合、当該信号を送信した装置に対して当該信号が従う通信方式に従った信号を出力する出力手段として機能させるためのプログラムを提供する。
【発明の効果】
【００１６】
本発明によれば、複数の通信方式に対応したリーダ／ライタに対して通信を行うことができる。
【図面の簡単な説明】
【００１７】
【図１】本発明の一実施形態に係る装置を示した図である。
【図２】端末装置１０のハードウェア構成を示したブロック図。
【図３】端末装置１０の機能構成を示したブロック図。
【図４】電子レジスター２０のハードウェア構成を示したブロック図。
【図５】電子レジスター２０の機能構成を示したブロック図。
【図６】第１実施形態の動作を説明するための図。
【図７】電子レジスター２０が行う処理の流れを示したフローチャート。
【図８】第１実施形態の端末装置１０が行う処理の流れを示したフローチャート。
【図９】第２実施形態の電子レジスター２０が行う処理の流れを示したフローチャート。
【図１０】第３実施形態の端末装置１０が行う処理の流れを示したフローチャート。
【図１１】第３実施形態の動作を説明するための図。
【図１２】第４実施形態の端末装置１０が行う処理の流れを示したフローチャート。
【図１３】第５実施形態の端末装置１０が行う処理の流れを示したフローチャート。
【発明を実施するための形態】
【００１８】
［第１実施形態］
図１は、本発明の実施形態に係る装置を示した図である。本実施形態に係る端末装置１０は、所謂スマートフォンである。端末装置１０は、本発明に係る通信装置の一例であり、ＮＦＣ（Near Field Communication）の通信方式のうち、非接触ＩＣカードの通信方式に従った通信を行う機能を備えている。なお、端末装置１０は、スマートフォンに限定されるものではなく、移動体通信網を介して通信を行うタブレット端末やフィーチャフォン、データ通信に特化したコンピュータ装置、ＩＥＥＥ８０２．１１規格に従って無線通信を行うコンピュータ装置などであってもよい。
電子レジスター２０は、種々の機能を備えた金銭登録機である。電子レジスター２０は、ＮＦＣの通信方式のうち、非接触ＩＣカードの通信方式に従った通信を行う機能を備えており、スマートフォンやＩＣカードと通信を行い、電子マネーでの決済を行う機能を備えている。
【００１９】
（端末装置１０の構成）
図２は、端末装置１０のハードウェア構成の一例を示した図である。制御部１０１は、ＣＰＵ（Central Processing Unit）やＲＡＭ（Random Access Memory）、不揮発性メモリを備えており、ＣＰＵが不揮発性メモリに記憶されているプログラムを実行すると、スマートフォンのオペレーティングシステムが実現する。
【００２０】
表示部１０３は、表示装置（例えば液晶ディスプレイ）と入力装置とが一体化した所謂タッチパネルを備えており、端末装置１０を操作するための画面や各種メッセージを表示する。操作部１０４は、端末装置１０を操作するためのボタンを備えている。通信部１０５は、移動体通信網を介して無線通信を行う通信インターフェースとして機能する。
【００２１】
音声処理部１０７は、マイクロホンとスピーカを有している。音声処理部１０７は、端末装置１０同士が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロホンが音声を収音すると、収音した音声をデジタル信号に変換する。音声処理部１０７は、端末装置１０で音声通話を行う場合、ユーザの音声を変換したデジタル信号を通信部１０５へ供給する。このデジタル信号は、通信部１０５から移動体通信網へ送信され、通話相手の端末装置１０へ送信される。
【００２２】
近距離通信部１０８は、ＮＦＣの通信方式のうち、非接触ＩＣカードの通信方式に従った通信を行う。本実施形態においては、近距離通信部１０８は、複数の通信方式に対応しており、ＩＳＯ／ＩＥＣ  １４４４３  ＴｙｐｅＡ（ＮＦＣ−Ａ）、ＩＳＯ／ＩＥＣ  １４４４３  ＴｙｐｅＢ（ＮＦＣ−Ｂ）、及びＩＳＯ／ＩＥＣ  １８０９２の方式（ＮＦＣ−Ｆ）に対応している。
記憶部１０２は、不揮発性メモリであり、各種アプリケーションプログラムやアプリケーションプログラムが使用するデータを記憶する。記憶部１０２は、電子マネーによる決済を実現するアプリケーションプログラムを記憶しており、制御部１０１が、このアプリケーションプログラムを実行すると、電子レジスター２０と無線通信を行い、電子マネーを用いて決済を行う機能が実現する。
【００２３】
（端末装置１０の機能構成）
図３は、アプリを実行することにより実現する機能のうち、本発明に係る機能の構成を示したブロック図である。
取得部１５１は、ＮＦＣ−Ａ、ＮＦＣ−Ｂ及びＮＦＣ−Ｆのうち、通信可能として選択した通信方式に対応した信号を取得する。
変更部１５２は、複数の通信方式から通信可能として選択した通信方式に従ったポーリング信号を取得部１５１が取得した後、通信可能として選択されている通信方式に従った信号を予め定められた時間内に取得部１５１が取得しなかった場合、通信可能として選択する通信方式を変更する。
出力部１５３は、複数の通信方式から通信可能として選択した通信方式に従ったポーリング信号を取得部１５１が取得した後、当該ポーリング信号が従う通信方式に従った信号を予め定められた時間内に取得部１５１が取得した場合、当該信号を送信した装置に対して当該信号が従う通信方式に従った信号を出力する。
応答部１５４は、複数の通信方式から通信可能として選択した通信方式に従ったポーリング信号を取得部１５１が取得した場合、当該ポーリング信号への応答となる応答信号を、近距離通信部１０８を制御して送信する。
【００２４】
（電子レジスター２０の構成）
図４は、電子レジスター２０のハードウェア構成を示したブロック図である。制御部２０１は、ＣＰＵやＲＡＭ、不揮発性メモリを備えており、ＣＰＵが不揮発性メモリに記憶されているプログラムを実行すると、商品の販売金額を計算して記録する機能、レシート発行機能、電子マネー決済機能、ＰＯＳ（Point Of Sales）機能、ＮＦＣの通信方式に従った通信を行う通信機能などの各種機能が実現する。記憶部２０２は、不揮発性メモリを有しており、商品の販売金額を記憶する。表示部２０３は、表示装置（例えば液晶ディスプレイ）と入力装置とが一体化した所謂タッチパネルを備えており、電子レジスター２０を操作するための画面や各種メッセージを表示する。操作部２０４は、電子レジスター２０を操作するためのキーやボタンなどを備えている。通信部２０５は、通信ネットワークに接続されており、電子レジスター２０が設置されている店舗の売り上げを管理するサーバ装置と通信を行う。近距離通信部２０８は、ＮＦＣの通信方式のうち、非接触ＩＣカードの通信方式に従った通信を行う。本実施形態においては、近距離通信部２０８は、複数の通信方式に対応しており、ＩＳＯ／ＩＥＣ  １４４４３  ＴｙｐｅＡ（ＮＦＣ−Ａ）及びＩＳＯ／ＩＥＣ  １４４４３  ＴｙｐｅＢ（ＮＦＣ−Ｂ）に対応している。ドロワー制御部２０９は、電子レジスター２０が備えるキャッシュドロワーの開閉を制御する。
【００２５】
（電子レジスター２０の機能構成）
図５は、電子レジスター２０において実現する機能のうち、本発明に係る機能の構成を示したブロック図である。
ポーリング部２５１は、ＮＦＣの通信方式に従った通信を行う装置を検出するため、近距離通信部２０８を制御してポーリング処理を行う。ポーリング部２５１は、近距離通信部２０８を制御し、ＮＦＣの通信方式に従った通信を行う装置を検出するためのポーリング信号を送信する。また、ポーリング部２５１は、近距離通信部２０８が、ポーリング信号に対する応答である応答信号を取得すると、当該応答信号を取得する。
電子マネー処理部２５２は、近距離通信部２０８を制御し、電子マネーの決済に係る信号の送信及び受信を行う。
【００２６】
（第１実施形態の動作例）
次に第１実施形態の動作例について図６−８を用いて説明する。なお、図６は、本実施形態の動作を説明するためのシーケンス図である。また、図７は、電子レジスター２０が行う処理の流れを示したフローチャートであり、図８は、端末装置１０が行う処理の流れを示したフローチャートである。以下の説明においては、電子マネーの決済処理を開始する前においては、端末装置１０は、通信可能な通信方式として、ＮＦＣ−Ａ、ＮＦＣ−Ｂ及びＮＦＣ−Ｆの方式を選択している場合を想定して動作の説明を行う。
【００２７】
端末装置１０のユーザは、電子レジスター２０を備える店舗において電子マネーで決済を行う場合、電子マネーで決済を行うことを店舗の店員に伝える。店舗の店員は、電子マネーで決済を行うことを伝えられると、電子レジスター２０の操作部２０４を操作し、電子マネーよる決済処理の実行を電子レジスター２０へ指示する。
【００２８】
電子レジスター２０の制御部２０１は、電子マネーよる決済処理の実行を指示する操作が行われると、電子レジスター２０の近傍においてＮＦＣの通信方式に従った通信を行う装置を検出するため、ポーリング処理を行う。具体的には、電子レジスター２０の制御部２０１は、まず、近距離通信部２０８を制御し、ＮＦＣ−Ａに対応した装置を検知するための信号（第１ポーリング信号）を送信する（ステップＳＡ１，ステップＳ１）。次に制御部２０１は、ステップＳＡ１で送信した第１ポーリング信号に対する応答となる信号を受信したか判断する。ここで、制御部２０１は、予め定められた時間の間、近距離通信部２０８が第１ポーリング信号に対する応答である応答信号を受信しなかった場合（ステップＳＡ２でＮＯ）、ＮＦＣ−Ａの応答信号を受信しなかったことを記憶する（ステップＳＡ３）。
【００２９】
次に制御部２０１は、近距離通信部２０８を制御し、ＮＦＣ−Ｂに対応した装置を検知するための信号（第２ポーリング信号）を送信する（ステップＳＡ５，ステップＳ２）。また、制御部２０１は、ステップＳＡ５で送信した第２ポーリング信号に対する応答となる信号を受信したか判断する。ここで、制御部２０１は、予め定められた時間の間、近距離通信部２０８が第２ポーリング信号に対する応答である応答信号を受信しなかった場合（ステップＳＡ６でＮＯ）、ＮＦＣ−Ｂの応答信号を受信しなかったことを記憶する（ステップＳＡ７）。
【００３０】
制御部２０１は、ポーリング信号を送信した後のステップで記憶した内容に基いて、端末装置１０からの応答信号の有無を判断する。制御部２０１は、ＮＦＣ−ＡとＮＦＣ−Ｂの両方について、端末装置１０からの応答信号を受信しなかった場合（ステップＳＡ９でＹＥＳ）、処理の流れをステップＳＡ１へ戻す。つまり、電子レジスター２０は、端末装置１０から応答信号を得られない場合、第１ポーリング信号と第２ポーリング信号の送信を繰り返すこととなる。
【００３１】
電子レジスター２０が繰り返しポーリング処理を行っている状態において、端末装置１０が近距離通信部２０８に近づけられると、端末装置１０は、電子レジスター２０から送信されているポーリング信号に応答する。
具体的には、電子レジスター２０が第１ポーリング信号を送信すると（ステップＳＡ１，ステップＳ３）、端末装置１０の近距離通信部１０８が、第１ポーリング信号を受信する。近距離通信部１０８は、受信した信号を解析し、受信した信号がＮＦＣ−Ａ、ＮＦＣ−Ｂ及びＮＦＣ−Ｆのうち、いずれの方式に対応した信号であるか判定する。ここで、近距離通信部１０８は、受信した第１ポーリング信号がＮＦＣ−Ａの信号であると判定すると、判定結果を制御部１０１へ通知する。端末装置１０は、ＮＦＣ−Ａの通信方式に対応しており、通信可能な通信方式としてＮＦＣ−Ａを選択しているため、制御部１０１は（取得部１５１）、通信可能としている方式のポーリング信号を受信したと判断する（ステップＳＢ１でＹＥＳ）。次に制御部１０１（応答部１５４）は、近距離通信部１０８を制御し、ＮＦＣ−Ａの通信方式に従った信号であって、第１ポーリング信号への応答となる第１応答信号を送信する（ステップＳＢ２，ステップＳ４）。また、制御部１０１は、受信したポーリング信号の通信方式の種別（ここではＮＦＣ−Ａ）を記憶する（ステップＳＢ３）。一方、制御部２０１は、近距離通信部２０８が第１応答信号を受信すると（ステップＳＡ２でＹＥＳ）、第１応答信号が従う通信方式の種別である「ＮＦＣ−Ａ」を記憶する（ステップＳＡ４）。
【００３２】
次に、電子レジスター２０が第２ポーリング信号を送信すると（ステップＳＡ５，ステップＳ５）、近距離通信部１０８が、第２ポーリング信号を受信する。近距離通信部１０８は、受信した第２ポーリング信号がＮＦＣ−Ｂの信号であると判定すると、判定結果を制御部１０１へ通知する。端末装置１０は、ＮＦＣ−Ｂの通信方式に対応しており、通信可能な通信方式としてＮＦＣ−Ｂを選択しているため、制御部１０１（取得部１５１）は、通信可能としている方式のポーリング信号を受信したと判断する（ステップＳＢ１でＹＥＳ）。次に制御部１０１（応答部１５４）は、近距離通信部１０８を制御し、ＮＦＣ−Ｂの通信方式に従った信号であって、第２ポーリング信号への応答となる第２応答信号を送信する（ステップＳＢ２，ステップＳ６）。また、制御部１０１は、受信したポーリング信号の通信方式の種別（ここではＮＦＣ−Ｂ）を記憶する（ステップＳＢ３）。一方、制御部２０１は、近距離通信部２０８が第２応答信号を受信すると（ステップＳＡ６でＹＥＳ）、第２応答信号が従う通信方式の種別である「ＮＦＣ−Ｂ」を記憶する（ステップＳＡ８）。
【００３３】
制御部２０１は、ポーリング信号を送信した後のステップで記憶した内容に基いて、端末装置１０からの応答信号の有無を判断する。制御部２０１は、端末装置１０からの応答信号を受信した場合（ステップＳＡ９でＮＯ）、記憶した内容に基いて、複数の通信方式の応答信号を受信したか判断する（ステップＳＡ１０）。制御部２０１は、上述の第１応答信号と第２応答信号の２つを受信した場合のように、複数の通信方式の応答信号を受信した場合（ステップＳＡ１０でＹＥＳ）、ＮＦＣ−Ａに対応したＩＣカードと、ＮＦＣ−Ｂに対応したＩＣカードとがあるのか、ＮＦＣ−ＡとＮＦＣ−Ｂに対応した一台の端末装置があるのか不明と判断してポーリング処理をエラーとし、記憶した通信方式の種別を消去し（ステップＳＡ１１）、処理の流れをステップＳＡ１へ戻す。
【００３４】
一方、制御部１０１（変更部１５２）は、応答信号を送信した後、記憶した通信方式の種別に従った信号であって、電子マネーによる決済処理に係る信号が送信されず（ステップＳＢ４でＮＯ）、通信方式の種別を記憶してから所定時間が経過していると（ステップＳＢ５でＹＥＳ）、通信方式の種別を複数記憶済みであるか判断する（ステップＳＢ７）。ここで制御部１０１は、通信方式の種別を複数記憶済みである場合（ステップＳＢ７でＹＥＳ）、通信可能とする通信方式を選択する（ステップＳＢ８）。例えば、制御部１０１は、上述したように、通信方式の種別として、ＮＦＣ−ＡとＮＦＣ−Ｂを記憶した場合、ＮＦＣ−Ａを通信可能な通信方式として選択し、ＮＦＣ−Ｂを通信不可の通信方式として選択する。つまり、制御部１０１（変更部１５２）は、通信可能とする通信方式を変更する。なお、制御部１０１は、ＮＦＣ−Ｂを通信可能な通信方式として選択し、ＮＦＣ−Ａを通信不可の通信方式として選択してもよい。
制御部１０１は、ステップＳＢ７でＮＯと判断した場合、記憶した通信方式の種別を消去し（ステップＳＢ９）、処理の流れをステップＳＢ１に戻す。制御部１０１は、ステップＳＢ８又はステップＳＢ９から処理の流れをステップＳＢ１へ戻す場合、ステップＳＢ５で判断している時間のカウントを初期化する。
【００３５】
制御部２０１は、ステップＳＡ１１の後、処理の流れをステップＳＡ１へ戻すと、近距離通信部２０８を制御し、第１ポーリング信号を送信する（ステップＳＡ１，ステップＳ７）。近距離通信部１０８は、受信した信号が第１ポーリング信号であると判定すると、判定結果を制御部１０１へ通知する。端末装置１０は、ＮＦＣ−Ａの通信方式に対応しており、上述したステップＳＢ８で通信可能な通信方式としてＮＦＣ−Ａを選択しているため、制御部１０１は、通信可能としている方式のポーリング信号を受信したと判断する（ステップＳＢ１でＹＥＳ）。次に制御部１０１は、近距離通信部１０８を制御し、第１応答信号を送信する（ステップＳＢ２，ステップＳ８）。また、制御部１０１は、受信したポーリング信号の通信方式の種別（ここではＮＦＣ−Ａ）を記憶する（ステップＳＢ３）。一方、制御部２０１は、近距離通信部２０８が第１応答信号を受信すると、第１応答信号が従う通信方式の種別である「ＮＦＣ−Ａ」を記憶する（ステップＳＡ４）。
【００３６】
次に、電子レジスター２０が第２ポーリング信号を送信すると（ステップＳＡ５，ステップＳ９）、近距離通信部１０８が、第２ポーリング信号を受信する。近距離通信部１０８は、受信した信号が第２ポーリング信号であると判定すると、判定結果を制御部１０１へ通知する。ここで制御部１０１は、上述したステップＳＢ８の処理において、ＮＦＣ−Ｂを通信不可の通信方式として選択したため、ステップＳＢ１でＮＯと判断し、第２応答信号を送信しないこととなる。一方、制御部２０１は、近距離通信部２０８が第２応答信号を受信しないため、ステップＳＡ６でＮＯと判断し、第２応答信号を受信しなかったことを記憶する（ステップＳＡ７）。
【００３７】
制御部２０１は、ポーリング信号を送信した後のステップで記憶した内容に基いて、端末装置１０からの応答信号の有無を判断する。上述したように、制御部２０１は、端末装置１０からの応答信号を受信した場合（ステップＳＡ９でＮＯ）、記憶した内容に基いて、複数の通信方式の応答信号を受信したか判断する（ステップＳＡ１０）。制御部２０１は、上述したように、ＮＦＣ−Ａについて応答信号を受信し、ＮＦＣ−Ｂについて応答信号を受信しなかった場合、ステップＳＡ１０でＮＯと判断する。
【００３８】
制御部２０１は、ステップＳＡ１０でＮＯと判断すると、記憶した通信方式の種別（本動作例ではＮＦＣ−Ａ）に従って電子マネーの決済処理に係る信号の送信及び受信を行う（ステップＳＡ１２，ステップＳ１０）。また、端末装置１０（出力部１５３）は、決済処理に係る信号を受信すると（ステップＳＢ１でＹＥＳ，ステップＳＢ４でＹＥＳ）、電子マネーの決済処理に係る信号の送信及び受信を行う（ステップＳＢ６）。
【００３９】
以上説明したように、本実施形態によれば、電子レジスター２０が、複数の通信方式でのポーリング処理のそれぞれに応答があるとエラーとする構成であっても、端末装置１０は、通信可能として応答する通信方式を減らすため、端末装置１０は、リーダ／ライタとして機能する電子レジスター２０と通信を行うことができる。
【００４０】
なお、電子レジスター２０が、ＮＦＣ−ＡとＮＦＣ−Ｆとに対応したものである場合、制御部１０１は、ＮＦＣ−Ａのポーリング信号とＮＦＣ−Ｆのポーリング信号に応答した後、所定時間経過しても電子マネーの決済処理に係る信号を受信しない場合には、ＮＦＣ−ＡとＮＦＣ−Ｆのいずれか一方の通信方式を、通信可能な通信方式として選択し、他方を通信不可の通信方式として選択するようにしてもよい。
また、電子レジスター２０が、ＮＦＣ−ＢとＮＦＣ−Ｆとに対応したものである場合、制御部１０１は、ＮＦＣ−Ｂのポーリング信号とＮＦＣ−Ｆのポーリング信号に応答した後、所定時間経過しても電子マネーの決済処理に係る信号を受信しなかった場合には、ＮＦＣ−ＢとＮＦＣ−Ｆのいずれか一方の通信方式を、通信可能な通信方式として選択し、他方を通信不可の通信方式として選択するようにしてもよい。
また、電子レジスター２０が、ＮＦＣ−Ａ、ＮＦＣ−Ｂ及びＮＦＣ−Ｆの通信方式に対応したものである場合、制御部１０１は、それぞれの通信方式のポーリング信号に応答した後、所定時間経過しても電子マネーの決済処理に係る信号を受信しなかった場合には、ＮＦＣ−Ａ、ＮＦＣ−Ｂ及びＮＦＣ−Ｆのいずれか一つの通信方式を、通信可能な通信方式として選択し、他の通信方式を通信不可の通信方式として選択するようにしてもよい。
また、電子レジスター２０が、ＮＦＣ−Ａ、ＮＦＣ−Ｂ及びＮＦＣ−Ｆの通信方式に対応したものである場合、制御部１０１は、各通信方式のポーリング信号に応答した後、所定時間経過しても電子マネーの決済処理に係る信号を受信しなかった場合、通信可能とする通信方式を一つ減らすようにしてもよい。
【００４１】
［第２実施形態］
次に、本発明の第２実施形態について説明する。本発明の第２実施形態に係る装置は、第１実施形態と同じく端末装置１０と電子レジスター２０であり、各装置のハードウェア構成は第１実施形態と同じである。本実施形態においては、各装置が行う処理が第１実施形態と異なる。このため、第１実施形態と同じ構成については説明を省略し、以下では第１実施形態との相違点について説明する。
【００４２】
図９は、本実施形態に係る電子レジスター２０が行う処理の流れを示したフローチャートである。店舗の店員が電子レジスター２０の操作部２０４を操作し、電子マネーよる決済処理の実行を電子レジスター２０へ指示すると、電子レジスター２０は、図９に示した処理を実行する。
【００４３】
具体的には、まず、制御部２０１は、通信相手となる装置が端末装置であるか問い合わせる信号（問合せ信号）を、近距離通信部２０８を制御して送信する（ステップＳＣ１）。なお、この信号を送信するときの通信方式は、ＮＦＣ−Ａ、ＮＦＣ−Ｂ、ＮＦＣ−Ｆのいずれかであってもよい。また、この信号は、例えば、近距離通信部１０８が赤外線通信やＩＥＥＥ８０２．１１規格に従った通信に対応している場合、赤外線通信やＩＥＥＥ８０２．１１規格に従った通信で送信してもよい。
【００４４】
本実施形態に係る端末装置１０は、問合せ信号を受信すると、問合せ信号に対応する応答となる信号（以下、第３応答信号と称する）を送信する。制御部２０１は、近距離通信部２０８が第３応答信号を受信すると（ステップＳＣ２でＹＥＳ）、通信相手となる装置が、複数の通信方式に対応した通信装置であると判断し、図７に示した処理を実行して上述した第１実施形態の動作を行う。
【００４５】
一方、例えば、ＩＣカードのように、複数の通信方式に対応しておらず、問合せ信号に応答する手段を持たない装置が問合せ信号の送信範囲内にある場合、第３応答信号が送信されてこないため（ステップＳＣ２でＮＯ）、電子レジスター２０は、上述した実施形態とは異なる動作となり、ＩＣカード用の処理を実行する（ステップＳＣ３）。
例えば、電子レジスター２０においては、店員が電子レジスター２０を操作し、ＩＣカードの種類を入力する。電子レジスター２０は、ＩＣカードの種類と、ＩＣカードが対応している通信方式とを対応付けて記憶しており、入力されたＩＣカードの種類を取得する。電子レジスター２０は、記憶している情報に基いて、取得した種類のＩＣカードが対応している通信方式を特定する。電子レジスター２０は、特定した通信方式に従って、電子マネーの決済処理に係る信号の送信及び受信を行う。
【００４６】
本実施形態によれば、電子レジスター２０が、複数の通信方式でのポーリング処理に応答があった場合にエラーとする構成であっても、端末装置１０は、通信可能として応答する通信方式を減らすため、電子レジスター２０と端末装置１０は、通信を行うことができる。
【００４７】
［第３実施形態］
次に、本発明の第３実施形態について説明する。本発明の第３実施形態に係る装置は、第１実施形態と同じく端末装置１０と電子レジスター２０であり、各装置のハードウェア構成は第１実施形態と同じである。本実施形態においては、各装置が行う処理が第１実施形態と異なる。このため、第１実施形態と同じ構成については説明を省略し、以下では第１実施形態との相違点について説明する。
【００４８】
図１０は、本実施形態に係る端末装置１０が行う処理の流れを示したフローチャートであり、図１１は、本実施形態の動作を説明するためのシーケンス図である。本実施形態においては、端末装置１０が実行する処理が第１実施形態と異なる。以下、図６，１０，１１を参照し、本実施形態の動作例について説明する。なお、以下の説明においては、電子マネーの決済処理を開始する前においては、端末装置１０は、通信可能な通信方式として、ＮＦＣ−Ａ、ＮＦＣ−Ｂ及びＮＦＣ−Ｆの方式を選択している場合を想定して動作の説明を行う。
【００４９】
電子レジスター２０の制御部２０１は、電子マネーよる決済処理の実行を指示する操作が行われると、電子レジスター２０の近傍においてＮＦＣの通信方式に従った通信を行う装置を検出するため、ポーリング処理を行う。
電子レジスター２０が第１ポーリング信号を送信すると（ステップＳＡ１，ステップ２０）、近距離通信部１０８が、送信された第１ポーリング信号を受信する。端末装置１０は、ＮＦＣ−Ａの通信方式に対応しており、通信可能な通信方式としてＮＦＣ−Ａを選択しているため（ステップＳＤ１でＹＥＳ）、第１応答信号を送信する（ステップＳＤ２，ステップＳ２１）。一方、制御部２０１は、近距離通信部２０８が第１応答信号を受信すると（ステップＳＡ２でＹＥＳ）、第１応答信号が従う通信方式の種別である「ＮＦＣ−Ａ」を記憶する（ステップＳＡ４）。
【００５０】
次に、電子レジスター２０が第２ポーリング信号を送信すると（ステップＳＡ５，ステップＳ２２）、近距離通信部１０８が、送信された第２ポーリング信号を受信する。端末装置１０は、ＮＦＣ−Ｂの通信方式に対応しており、通信可能な通信方式としてＮＦＣ−Ｂを選択しているため（ステップＳＤ１でＹＥＳ）、第２応答信号を送信する（ステップＳＤ２，ステップＳ２３）。一方、制御部２０１は、近距離通信部２０８が第２応答信号を受信すると（ステップＳＡ６でＹＥＳ）、第２応答信号が従う通信方式の種別である「ＮＦＣ−Ｂ」を記憶する（ステップＳＡ８）。
【００５１】
制御部２０１は、ポーリング信号を送信した後のステップで記憶した内容に基いて、端末装置１０からの応答信号の有無を判断する。制御部２０１は、端末装置１０からの応答信号を受信した場合（ステップＳＡ９でＮＯ）、記憶した内容に基いて、複数の通信方式の応答信号を受信したか判断する（ステップＳＡ１０）。制御部２０１は、上述の第１応答信号と第２応答信号の２つを受信した場合のように、複数の通信方式の応答信号を受信した場合（ステップＳＡ１０でＹＥＳ）、ＮＦＣ−Ａに対応したＩＣカードと、ＮＦＣ−Ｂに対応したＩＣカードとがあるのか、ＮＦＣ−ＡとＮＦＣ−Ｂに対応した一台の端末装置があるのか不明と判断してポーリング処理をエラーとし、記憶した通信方式の種別を消去し（ステップＳＡ１１）、処理の流れをステップＳＡ１へ戻す。
【００５２】
一方、制御部１０１は、応答信号を送信した後、通信可能としている通信方式の種別に従った信号であって、電子マネーによる決済処理に係る信号が送信されず（ステップＳＤ４でＮＯ）、通信可能な通信方式を選択してから所定時間が経過していると（ステップＳＤ５でＹＥＳ）、通信可能とする通信方式を変更する（ステップＳＤ７）。例えば、制御部１０１は、上述したように、通信可能な通信方式を、ＮＦＣ−Ａ、ＮＦＣ−Ｂ及びＮＦＣ−Ｆとしている場合、ＮＦＣ−ＡとＮＦＣ−Ｆを通信可能な通信方式とし、ＮＦＣ−Ｂを通信不可の通信方式とする。なお、制御部１０１は、ステップＳＤ７から処理の流れをステップＳＤ１へ戻す場合、ステップＳＤ５で判断している時間のカウントを初期化する。
【００５３】
制御部２０１は、ステップＳＡ１１の後、処理の流れをステップＳＡ１へ戻すと、近距離通信部２０８を制御し、第１ポーリング信号を送信する（ステップＳＡ１、ステップＳ２４）。端末装置１０の近距離通信部１０８は、第１ポーリング信号を受信する。端末装置１０は、ＮＦＣ−Ａの通信方式に対応しており、ここでは通信可能な通信方式としてＮＦＣ−Ａを選択しているため（ステップＳＤ１でＹＥＳ）、制御部１０１は、近距離通信部１０８を制御して第１応答信号を送信する（ステップＳＤ２，ステップＳ２５）。一方、制御部２０１は、近距離通信部２０８が第１応答信号を受信すると（ステップＳＡ２でＹＥＳ）、応答信号の種別「ＮＦＣ−Ａ」を記憶する（ステップＳＡ４）。
【００５４】
次に、電子レジスター２０が第２ポーリング信号を送信すると（ステップＳＡ５，ステップＳ２６）、近距離通信部１０８が、第２ポーリング信号を受信する。近距離通信部１０８は、受信した信号が第２ポーリング信号であると判定すると、判定結果を制御部１０１へ通知する。ここで制御部１０１は、上述したステップＳＤ７の処理において、ＮＦＣ−Ｂを通信不可の通信方式として選択したため、ステップＳＤ１でＮＯと判断し、第２応答信号を送信しないこととなる。
一方、制御部２０１は、近距離通信部２０８が第２応答信号を受信しないため、ステップＳＡ６でＮＯと判断し、第２応答信号を受信しなかったことを記憶する（ステップＳＡ７）。
【００５５】
制御部２０１は、ポーリング信号を送信した後で記憶した内容に基いて、端末装置１０からの応答信号の有無を判断する。上述したように、制御部２０１は、端末装置１０からの応答信号を受信した場合（ステップＳＡ９でＮＯ）、記憶した内容に基いて、複数の通信方式の応答信号を受信したか判断する（ステップＳＡ１０）。制御部２０１は、上述したように、ＮＦＣ−Ａについて応答信号を受信し、ＮＦＣ−Ｂについて応答信号を受信しなかった場合、ステップＳＡ１０でＮＯと判断する。
【００５６】
制御部２０１は、ステップＳＡ１０でＮＯと判断すると、記憶した通信方式の種別（本動作例ではＮＦＣ−Ａ）に従って電子マネーの決済処理に係る信号の送信及び受信を行う（ステップＳＡ１２，ステップＳ２７）。また、端末装置１０は、決済処理に係る信号を受信すると（ステップＳＤ１でＹＥＳ、ステップＳＤ４でＹＥＳ）、電子マネーの決済処理に係る信号の送信及び受信を行う（ステップＳＤ６）。
【００５７】
以上説明したように、本実施形態によれば、電子レジスター２０が、複数の通信方式でのポーリング処理のそれぞれに応答があるとエラーとする構成であっても、端末装置１０は、通信可能として応答する通信方式を変更するため、端末装置１０は、リーダ／ライタとして機能する電子レジスター２０と通信を行うことができる。
【００５８】
なお、端末装置１０は、応答信号を送信した後、決済に係る信号を所定時間内に受信しなかった場合、ステップＳＤ７において、通信可能とする通信方式を変更するが、通信可能とする通信方式は、所定時間が経過する毎に、「ＮＦＣ−Ａ、ＮＦＣ−Ｂ及びＮＦＣ−Ｆ」→「ＮＦＣ−Ａ」→「ＮＦＣ−Ｂ」→「ＮＦＣ−Ｆ」→「ＮＦＣ−Ａ、ＮＦＣ−Ｂ及びＮＦＣ−Ｆ」→・・・、という順番で変更してもよい。また、通信可能とする通信方式を変更する順番は、上述の順番に限定されるものではなく、他の順番で変更してもよい。
【００５９】
［第４実施形態］
次に、本発明の第４実施形態について説明する。本発明の第４実施形態に係る装置は、第１実施形態と同じく端末装置１０と電子レジスター２０であり、各装置のハードウェア構成は第１実施形態と同じである。本実施形態においては、各装置が行う処理が第１実施形態と異なる。このため、第１実施形態と同じ構成については説明を省略し、以下では第１実施形態との相違点について説明する。
【００６０】
本実施形態においては、端末装置１０の近距離通信部１０８は、ＮＦＣの通信における搬送波の電界強度を測定する機能を有する。端末装置１０は、ＮＦＣの通信で電子レジスター２０から出力される搬送波の電界強度に応じて、通信可能とする通信方式を選択する。図１２は、本実施形態に係る端末装置１０の制御部１０１が行う処理の流れを示したフローチャートである。
【００６１】
制御部１０１は、搬送波の電界強度が予め定められた閾値以上である場合（ステップＳＥ１でＹＥＳ）、通信可能とする通信方式をＮＦＣ−Ｆとする（ステップＳＥ２）。また、制御部１０１は、搬送波の電界強度が予め定められた閾値未満である場合（ステップＳＥ１でＮＯ）、通信可能とする通信方式をＮＦＣ−Ａ及びＮＦＣ−Ｂとする（ステップＳＥ３）。
【００６２】
［第５実施形態］
次に、本発明の第５実施形態について説明する。本発明の第５実施形態に係る装置は、第１実施形態と同じく端末装置１０と電子レジスター２０であり、各装置のハードウェア構成は第１実施形態と同じである。本実施形態においては、各装置が行う処理が第１実施形態と異なる。このため、第１実施形態と同じ構成については説明を省略し、以下では第１実施形態との相違点について説明する。
【００６３】
上述した実施形態においては、端末装置１０は、応答信号を送信してから所定時間内に決済に係る信号が送信されてこないと、通信可能とする通信方式を変更しているが、本実施形態においては、通信可能とする通信方式を予め定められた周期で変更する。
【００６４】
図１３は、本実施形態に係る端末装置１０の制御部１０１が行う処理の流れを示したフローチャートである。端末装置１０は、所定時間が経過する毎に、「ＮＦＣ−Ａ、ＮＦＣ−Ｂ及びＮＦＣ−Ｆ」→「ＮＦＣ−Ａ」→「ＮＦＣ−Ｂ」→「ＮＦＣ−Ｆ」→「ＮＦＣ−Ａ、ＮＦＣ−Ｂ及びＮＦＣ−Ｆ」→・・・、という順番で通信可能とする通信方式を変更する。
具体的には、本実施形態に係る端末装置１０の制御部１０１は、所定時間が経過すると（ステップＳＦ１でＹＥＳ）、通信可能な通信方式として、ＮＦＣ−Ａ、ＮＦＣ−Ｂ及びＮＦＣ−Ｆを選択しているか判断する。制御部１０１は、通信可能な通信方式として、ＮＦＣ−Ａ、ＮＦＣ−Ｂ及びＮＦＣ−Ｆを選択している場合（ステップＳＦ２でＹＥＳ）、通信可能な通信方式としてＮＦＣ−Ａを選択する（ステップＳＦ３）。
制御部１０１は、ステップＳＦ２でＮＯと判断した場合、通信可能な通信方式として、ＮＦＣ−Ａを選択しているか判断する。制御部１０１は、通信可能な通信方式として、ＮＦＣ−Ａを選択している場合（ステップＳＦ４でＹＥＳ）、通信可能な通信方式としてＮＦＣ−Ｂを選択する（ステップＳＦ５）。
制御部１０１は、ステップＳＦ４でＮＯと判断した場合、通信可能な通信方式として、ＮＦＣ−Ｂを選択しているか判断する。制御部１０１は、通信可能な通信方式として、ＮＦＣ−Ｂを選択している場合（ステップＳＦ６でＹＥＳ）、通信可能な通信方式としてＮＦＣ−Ｆを選択する（ステップＳＦ７）。一方、制御部１０１は、ステップＳＦ６でＮＯと判断した場合、通信可能な通信方式として、ＮＦＣ−Ａ、ＮＦＣ−Ｂ及びＮＦＣ−Ｆを選択する（ステップＳＦ８）。
【００６５】
なお、本実施形態においては、「ＮＦＣ−Ａ、ＮＦＣ−Ｂ及びＮＦＣ−Ｆ」を選択している期間を第１期間、「ＮＦＣ−Ａ」を選択している期間を第２期間、「ＮＦＣ−Ｂ」を選択している期間を第３期間、「ＮＦＣ−Ｆ」を選択している期間を第４期間とした場合、第１期間から第４期間のそれぞれの長さが異なるようにしてもよい。つまり、ステップＳＦ１で計時する所定時間を、通信可能として選択している通信方式に応じて異なるものとしてもよい。
【００６６】
［変形例］
以上、本発明の実施形態について説明したが、本発明は上述した実施形態に限定されることなく、他の様々な形態で実施可能である。例えば、上述の実施形態を以下のように変形して本発明を実施してもよく、各変形例を組み合わせて実施してもよい。
【００６７】
上述した実施形態においては、電子レジスター２０と通信を行うのは端末装置１０であるが、端末装置１０に限定されるものではなく、例えば、複数の通信方式に対応し、上述した端末装置１０の処理を実行するＩＣカードであってもよい。
【００６８】
上述した第３実施形態においては、端末装置１０は、ステップＳＤ５で監視している所定時間を、ＮＦＣの通信で出力される搬送波の電界強度に応じて変更するようにしてもよい。例えば、端末装置１０は、電子レジスター２０から出力される搬送波の電界強度が大きくなるにつれて監視している所定時間を短くし、電界強度が小さくなるにつれて監視している所定時間を長くするようにしてもよい。
【００６９】
上述した実施形態においては、端末装置１０は、電子レジスター２０と通信を行うが、端末装置１０と通信を行う装置は、電子レジスター２０に限定されるものではない。例えば、自動改札機や自動販売機、入館ゲートなどであってもよい。
【００７０】
上述した実施形態においては、複数の通信方式に対応したリーダ／ライタに対して通信を行うことが可能な構成となっているが、通信方式を、通信規格に置き換えた構成としてもよい。
【００７１】
端末装置１０や電子レジスター２０のプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取り可能な記録媒体に記憶した状態で提供し、インストールしてもよい。また、通信回線を介してプログラムをダウンロードしてインストールしてもよい。
【符号の説明】
【００７２】
１０…端末装置、２０…電子レジスター、１０１…制御部、１０２…記憶部、１０３…表示部、１０４…操作部、１０５…通信部、１０７…音声処理部、１０８…近距離通信部、１５１…取得部、１５２…変更部、１５３…出力部、１５４…応答部、２０１…制御部、２０２…記憶部、２０３…表示部、２０４…操作部、２０５…通信部、２０８…近距離通信部、２０９…ドロワー制御部、２５１…ポーリング部、２５２…電子マネー処理部
【図１】
2015133577.tif 000003
【図２】
2015133577.tif 000004
【図３】
2015133577.tif 000005
【図４】
2015133577.tif 000006
【図５】
2015133577.tif 000007
【図６】
2015133577.tif 000008
【図７】
2015133577.tif 000009
【図８】
2015133577.tif 000010
【図９】
2015133577.tif 000011
【図１０】
2015133577.tif 000012
【図１１】
2015133577.tif 000013
【図１２】
2015133577.tif 000014
【図１３】
2015133577.tif 000015